(57)【要約】      （修正有）【課題】撮影ボックスを、簡単に分解・組立セットすることができ、撮影ボックス内にセットされた商品を、常に安定した照明により撮影を確保することができ、撮影ボックスを簡単に分解して持ち運びすることのできる携帯型簡易組立式撮影ボックスを提供する。【解決手段】鞄蓋体と鞄底蓋体からなり、内部に白色灯照明器具取り付け用クリップ、マジックファスナー（登録商標）を有する横分割ヒンジ開放角型携帯用手提げ鞄と、手提げ鞄の両蓋体と協働して組立てられる複数の仕切板と、手提げ鞄の内部に添着されるバックスクリーンとを備え、前記複数の仕切板が、鞄底蓋体に蝶着された一対の同形の台形状側方仕切板と、これに取外し自在の短冊状前方上部撮影窓付き仕切板及び短冊状前方下部仕切板とにより撮影ボックスとして組立てられる。【選択図】図１
0003142080.tif 000002
【実用新案登録請求の範囲】
【請求項１】
鞄蓋体と鞄底蓋体からなる横分割ヒンジ開放角型携帯用手提げ鞄であって、鞄蓋体内部天上面に設置の白色灯照明器具用クリップと、鞄底蓋体の内部下端両側縁に折り畳み可能にその一辺側縁がそれぞれ蝶着されると共にそれぞれ開いて鞄蓋底体の側面に沿わせ立設可能な一対の同形の直角辺を含む台形状側方仕切板と、前記側方仕切板の前縁に相互の逆Ｌ字孔・フックにより係合される前方上部配置の撮影窓付き短冊状前方仕切板及び前方下方配置の短冊状前方仕切板と、前記鞄蓋体の内部天上面にマジックファスナー（登録商標）（登録商標）止めされるバックスクリーンとを、少なくとも備え、前記クリップに白色灯照明器具が設置可能であり、バックスクリーンをマジックファスナー（登録商標）止めし、前記一対の同形の立設した台形状側方仕切板に２種類の短冊状前方仕切板を逆Ｌ字孔・フックの係合により組込み、鞄蓋体を被せ、鞄蓋体と鞄底蓋体を所定の角度に開いた状態に保持して、前記撮影窓を通じて撮影可能な撮影ボックスを形成すると共に、両短冊状前方仕切板の分解後、前記台形状側方仕切板を折り畳み、前記分解した二枚の短冊状仕切板及び取外したバックスクリーンを、必要に応じて白色灯照明器具類を含めて、鞄内に収容し運搬可能とした携帯型簡易組立式撮影ボックス。
【考案の詳細な説明】
【技術分野】
【０００１】
この出願の考案は、設営作業が簡単で、携帯して持ち運びできるスタジオボックスに関し、特に横分割ヒンジ開放角型携帯用手提げ鞄を利用して、撮影ボックスを組立てることができ、且つ、撮影ボックス組立部品類を収容して簡単に持ち運びできる鞄携帯型簡易組立式撮影ボックスに関するものである。
【背景技術】
【０００２】
先行の設営作業が簡単で、携帯して持ち運びできるスタジオボックスは、本出願人によって提案されている（特開２００６−１７３８９４）。
それ以前のスタジオボックスの場合、針金のバネ性を利用し、折り畳んで収納したり、また元のドーム形状に復元させる従来のタイプのスタジオボックスが、針金のバネ性を利用することから、操作が不慣れな場合は小型に折り畳んで収納することが難しく、また元のドーム形状のスタジオボックスに復元させる際も、あらぬ方向にバネの力が作用してうまく元のドーム形状に復元させることができないスタジオボックス組立・収納上の難点を有していた。
【０００３】
そこで、上記先行発明ではこれを解決すべく、折り畳みおよび設営操作が極めて簡単で、しかも簡単かつ正確に元のドーム形状に復元することができるスタジオボックスとして、主骨移動手段を操作し、各主骨を放射状に位置決めするだけで、反射シート部材を前記各主骨間で張設してドーム形状に復元することが出来るとともに、各主骨を互いに略平行に位置決めするだけで反射シートを折り畳むことが出来、このため傘をさすのと同じような操作で初めて操作する人でも簡単かつ正確にドーム形状のスタジオボックスの設営と折り畳み操作とを行なうことが出来るようにして改良を図った。
【０００４】
しかし、上記スタジオボックスを設営した後、撮影すべき商品を内部にセットして撮影することができるような撮影ボックスとして使用する場合には、その前記スタジオボックスを利用する撮影時には、さらに照明装置を別途準備する必要があり、このため、既設の照明の設置された場所に当該スタジオボックスを移動したり、又は前記スタジオボックスに新たに照明器具を用意しセットしたりする必要があり、適正な撮影を行なうためには更なる作業準備を必要とし、準備の煩雑が問題として残され、さらに、これらの照明器具は前記スタジオボックスの外部から布地を介した間接照明の形で使用されることになり、通常の蛍光灯スタンドでは撮影のための十分な光源が得られないことがあり、このため、その分光度が低減され内部での明るい撮影を確保するには課題を残すものであり、また従来の照明器具をスペースの狭い前記スタジオボックスの内に撮影商品に均一の照明を当てるようにセットする上でも問題を残していた。
【０００５】
また、収納ケース部と該収納ケース部に開閉可能に連結された蓋部を備える携帯型ライティング装置であって、前記収納ケース部は、電源装置と、該電源装置に接続される複数の照明装置と、撮影台とを備え、前記蓋部は、バックスクリーンを備える携帯型ライティング装置が存在する（特開２００２−９９０４１）。
この場合の解決課題は、先行技術としての小型スタジオ装置が、上部箱体、中央部箱体及び下部箱体とからなる箱型であることから、全体の大きさ・重量は、小型冷蔵庫程度となり、スタジオ装置を移動には下部箱体の底部に付けたキャスターにより引きずって移動させるか、他の場所への移動には、自動車に頼らざるをえなかったことから、収納ケース部と該収納ケース部に開閉可能に連結された蓋部を備える携帯型ライティング装置として、前記収納ケース部は、電源装置と、該電源装置に接続される複数の照明装置と、撮影台とを備え、前記蓋部は、バックスクリーンを備えるようにし、これによって、ライティング装置を手荷物として携帯可能としたものである。
【０００６】
ただ、小型スタジオ装置においてその軽量・小型化を図った携帯型ライティング装置において、セットされるスタジオは開放されており、またスタジオにセットされる撮影対象の商品の照明については、携帯型ライティング装置の左右前後の多数の照明装置を用いて照射するものであるため、安定した照明を得るため、多数の照明装置の照射方向、照射距離などの調整に時間がかかり熟練を要し、このため太陽の日差しを受ける屋外・屋内を問わず安定した照明を得る上で問題を残すものであった。
【０００７】
【特許文献１】特開２００６−１７３８９４
【特許文献２】特開２００２−９９０４１
【考案の開示】
【考案が解決しようとする課題】
【０００８】
この出願の考案は、上記の事情に鑑みこれを解決するもので、撮影ボックスを組立セットしたとき、撮影すべき商品を内部にセットしてすぐ撮影することができるように予め照明手段を簡単にセットすることができ、撮影ボックス以外に別途他の照明装置の設置を追加セットする必要がなく、また、内部にセットされた商品を撮影ボックス内の照明により所定の位置から所定の照度で直接的に照明するようにし、その場合仕切板で覆った暗箱内での白光灯による直接的な照射となるため、照度が低減されることなく略安定した光度が確保されることとなる。これによって、外部の強い日光照射の影響を受けることがなく、内部では常に安定した照度により内部にセットされた商品についての安定した鮮明な撮影を確保することができ、屋外・屋内を問わず安定した照明を得ることができる。
【課題を解決するための手段】
【０００９】
このため、上記課題を解決するものとして、本考案は、鞄蓋体と鞄底蓋体からなる横分割ヒンジ開放角型携帯用手提げ鞄であって、鞄蓋体内部天上面に設置の白色灯照明器具用クリップと、鞄底蓋体の内部下端両側縁に折り畳み可能にその一辺側縁がそれぞれ蝶着されると共にそれぞれ開いて鞄蓋底体の側面に沿わせ立設可能な一対の同形の直角辺を含む台形状側方仕切板と、前記側方仕切板の前縁に相互の逆Ｌ字孔・フックにより係合される前方上部配置の撮影窓付き短冊状前方仕切板及び前方下方配置の短冊状前方仕切板と、前記鞄蓋体の内部天上面にマジックファスナー（登録商標）止めされるバックスクリーンとを少なくとも備え、前記クリップに白色灯照明器具が設置可能であり、バックスクリーンをマジックファスナー（登録商標）止めし、前記一対の同形の立設した台形状側方仕切板に２種類の短冊状前方仕切板を逆Ｌ字孔・フックの係合により組込み、鞄蓋体を被せ、鞄蓋体と鞄底蓋体を所定の角度に開いた状態に保持して、前記撮影窓を通じて撮影可能な撮影ボックスを形成すると共に、両短冊状前方仕切板の分解後、前記台形状側方仕切板を折り畳み、前記分解した二枚の短冊状仕切板及び取外したバックスクリーンを、必要に応じて白色灯照明器具類を含めて、鞄内に収容し運搬可能とした携帯型簡易組立式撮影ボックス、を提供する。
【考案の効果】
【００１０】
以上、上記本考案によれば、鞄蓋底体における蝶着された側方仕切板の立上げ、開いた鞄蓋体内上部に設置のクリップ体による白色灯照明器具の設置、同じく鞄蓋体内上部に設置のマジックファスナー（登録商標）によるバックスクリーン配設、前方各仕切板の前記側方仕切板への所定位置への差込組立て、開いた鞄蓋体の施蓋によって撮影ボックスを、簡単に組立セットすることができる。なお、この撮影ボックスの組立てに当って、白色灯照明器具はクリップ止めされ、この白色灯照明器具にはコンセント、切替スイッチ、コードを介して電源への接続が可能となっている。
撮影ボックスとして使用するに際して、予め電源に接続された撮影ボックス内に撮影すべき商品がセットされる。ここで、白色灯照明器具を点灯したときには、撮影ボックス内の撮影対象の商品は直接照明され、しかも仕切板で覆った暗箱内での一定の明るさが確保された白色灯による照射となるため、光度は低減されることはなく、また、外部の強い日光照射の影響に曝されることもなく、内部では常に安定した照明による明るい撮影環境を確保することができ、これによって、撮影ボックス内の撮影商品に均一な照明を当てることができることとなり、屋外・屋内を問わず安定した照明を得ることのできる携帯型簡易組立式撮影ボックスを提供することができる。
【考案を実施するための最良の形態】
【００１１】
以下、本考案について、図面を用いてさらに詳細に説明する。
【００１２】
図１は、組立て部品を収納した横分割ヒンジ開放角型携帯用手提げ鞄１を用いてデジタルカメラ用の撮影用スタジオボックスとして組立てた携帯型簡易組立式撮影ボックスＢを示す。
【００１３】
図１の組立て状態において、横分割ヒンジ開放角型携帯用手提げ鞄１（以下「手提げ鞄１」と略称する。）は、一辺で回転自在に蝶番によるヒンジ結合（図４参照）された開閉自在の鞄蓋体１ａと鞄底蓋体１ｂの二分割体からなるケース鞄である。この手提げ鞄１は、後述する台形状側方仕切板２、２及び短冊状前方仕切板３、４を組立てることによって、半開状態の形状に保持された暗箱を形成している。手提げ鞄１は、図１、図４に概略的に示す留め金、取手を有し、後述するように、立設した台形状側方仕切板２、２から、短冊状前方仕切板３、４等を分解、分離して、台形状側方仕切板２、２を内部に折り畳み、箱底体内に収納し、手提げ鞄１を閉じて施錠すれば簡単に持ち運びが可能となる。
【００１４】
図１の半開状態に組立てられた手提げ鞄１の組立結果の概要は次のとおりである。手提げ鞄１の蓋体１ａと蓋底体１ｂの間において、その両側方には台形状側方仕切板２，２が面を添え立設させて配置される（図３参照）。また、両仕切板２，２の前方端縁には、その上部位置に撮影用窓３ｂ付き短冊状前方仕切板３が、その下部位置に短冊状前方仕切板４がそれぞれ配置される。これら鞄蓋体１ａと鞄底蓋体１ｂと、台形状側方仕切板２，２、及び短冊状前方仕切板３、４によってその内部に撮影室が形成される。
白色灯照明器具５は、鞄蓋体１ａの内壁頂部に、横方向二箇所に取付け設置したクリップ５ｄ、５ｄ
（図２参照）により挟着される。バックスクリーン６は、その上端が鞄蓋体１ａの内壁頂部にマジックファスナー（登録商標）止めされ、バックスクリーン６自体の剛性によって略鞄蓋体１ａの凹部壁面と鞄底蓋体１ｂの凹部壁面に沿って展設される。
【００１５】
側方仕切板２，２の配設とこの側方仕切板２，２への前方仕切板３、４との組立は次の手段による。
図２は、携帯型簡易組立式撮影ボックスＢを組立てるための部品、鞄蓋体１ａ、鞄底蓋体１ｂからなる手提げ鞄１、側方配置台形状側方仕切板２，２、前面上部配置撮影用窓付き短冊状前方仕切板３、前面下部配置短冊状前方仕切板４、白色灯照明手段５、バックスクリーン６をそれぞれ分解して示す図である。
図２に示すように、一対の側方配置台形状側方仕切板２，２は、鞄底蓋体１ｂの側壁下部に蝶番２ｃによって蝶着される。これによって、各側方仕切板２は、未使用時には鞄底蓋体１ｂの底面に寄せて折畳まれ、また使用時には鞄底蓋体１ｂの内側面に添って起立させることができる。蝶着により起立配置することのできる一対の側方配置台形状側方仕切板２，２には、それらの前方縁近傍の上部に上部差込み孔２ａを、また下部に下部差込み孔２ｂが穿設されている。台形状側方仕切板２，２は、内部の採光による乱反射を予防するために好ましくは黒色が採用されている。この仕切板の内側表面は黒色であることが好ましく、以下、内側表面が黒色であるものとしての記述があるとしても、これに限定されることはない。
前方仕切板について説明する。短冊状黒色前方仕切板３、４には、図面長手方向両端縁に複数の突起３ａ、４ａが各それぞれ突設される。ここで上記したように、上部に配置の短冊状前方仕切板３にのみ撮影用窓３ｂが備えられる。
これらの前面上部配置短冊状黒色前方仕切板３のフック３ａ、３aは、前記した側方配置台形状黒色側方仕切板２の上部逆Ｌ字孔２ａ、２ａに押し込み落とし込むことにより係止され、また、前面下部配置短冊状黒色前方仕切板４のフック４ａ、４aは、下部逆Ｌ字孔２ｂ、２ｂに同様に係止され、この逆Ｌ字孔・フックの係止による組立後、この上に蓋体１ａを被せることによって、半開状態に保持された鞄１の側方及び前方の隙間は塞がれ、外部から遮光され、撮影用窓３ｂを通じて撮影できる撮影ボックスが形成される。
上述の側方仕切板２、２と前方仕切板３、４に係る逆Ｌ字孔・フックの係止構造は、孔と突起による差込構造としても差し支えない。
前面上部配置短冊状黒色前方仕切板３の面に形成された撮影用窓３ｂは、通常この撮影用窓３ｂを通して、デジタルカメラにより内部にセットした商品を撮影するための窓である。
撮影に当っては、もちろん組立の途中で予め撮影対象商品を据付け、撮影ボックス内に撮影対象商品が収納セットされる。
【００１６】
図２において、手提げ鞄１は、開放した鞄蓋体１ａの内側収容部の上方左右両側近傍位置に、白色灯照明手段を設置するため、両端にクリップ５ｄ、５ｄが取り付けられる。このクリップ５ｄ、５ｄによって、別途用意された白色灯照明手段５の端部外周を両側で挟持してクリップ止めにより所定の方向に設置する。その際、図１（ロ）で示すように、上方から下向きに照射が可能となり、撮影ボックス内の撮影体を照射する。
クリップ止めされた白色灯照明手段５の取り外しは、クリップ５ｄ、５ｄからその開放端を通じて簡単に引き抜いて取外すことができ、この取外された白色灯照明手段５は、適宜鞄内に収容することができる。
【００１７】
撮影ボックス内部据付け商品の背景となるバックスクリーン６は略鞄の幅を有し、例えば、図２に示すように、鞄蓋体１ａの内側収容部の使用時上部となる位置に、マジックファスナー（登録商標）６a等により簡単に取外し可能に取付けられる。この場合、このバックスクリーン６は鞄蓋体１ａおよび鞄蓋底体１ｂの内側収容部内面に添設可能な所定の剛性を有する布から作成される。
撮影ボックス組立の際、バックスクリーン６を添設に先立って、図３に示すように、鞄底蓋体１ｂの側壁下部に蝶番２ｃにより蝶着された一対の側方配置台形状黒色側方仕切板２，２を、それぞれ鞄底蓋体１ｂの両内側面に添って起立させた立設状態となし、この状態において、バックスクリーン６を添設する（図３参照）。
また、バックスクリーン６は、布に代えて可撓性があり剛性を有した薄板材から作成することができる。この場合、鞄蓋体１ａの内側収容部に配置した際に、薄板材の下端が鞄底蓋体１ｂの内側収容部の縁に当接して縁で支持されながら、被写体がその剛性の影響を受けることなく載置できる程の可撓性を有した剛性をもつ材料として作成したものである。
【００１８】
バックスクリーン６の配色は、撮影体の彩色を鮮明にするため通常白色のスクリーンが採用される。撮影体が白色系の場合には、彩色を鮮明にするため白色以外の彩色のスクリーンを選択して使用することもできる。
【００１９】
前記白色灯照明手段５を点灯するため、図２に示すように、この白色灯照明器具には差込み受５ｃを備え、差込み受５ｃへの差込み７は、切替スイッチ７ｂを付設したコード７ａを介して適宜の電源への接続が可能となっている。差込み７とコード７ａは、側方仕切板２に形成された挿通孔を通じて引き込み、引き出し可能である。コードを挿通したこのコード挿通孔は、鞄蓋体１ａを被せたとき、鞄蓋体１ａの側壁により塞がれる位置に設けられるので、光漏れの影響はない。
【００２０】
図４は、手提げ鞄１を開放し、内部に、上記したデジタルカメラ用の撮影用スタジオボックスの組立てに供する部品、側面配置台形状黒色側方仕切板２，２、前面上部配置短冊状黒色前方仕切板３、前面下部配置短冊状黒色前方仕切板４、白色灯照明手段５、バックスクリーン６が収納された状態を示す。
手提げ鞄１を開いて収納された状態から組立てる場合、先ず、手提げ鞄１を開放し、手提げ鞄１の中から、図４に示された収納中の各部品のうち、側面配置台形状黒色側方仕切板２，２を除いて、一先ず外へ取り出す。
次に、鞄蓋体１ａを開放した手提げ鞄１において、開放された鞄底蓋体１ｂの内側に蝶着され折り畳まれた側方仕切板２，２（図２参照）を鞄底蓋体１ｂの内側面に添うよう起立させる（図３参照）。側方仕切板２，２を立設した状態で、白色灯照明手段5の下方に設置のマジックファスナー（登録商標）６ａにバックスクリーン６を貼着し、これにより開放された鞄蓋体１ａと鞄底蓋体１ｂの内側で側方仕切板２，２の間にバックスクリーン６を展設する（図３参照）。
白色灯照明手段５は  、鞄蓋体１ａ内の上部位置に設置されたクリップ５ｄ、５ｄに押し込んで、クリップ止めする。なお、白色灯照明手段５は、必ずしも手提げ鞄１に収納されている部品である必要はなく、現場で調達できる白色灯照明手段５が手提げ鞄１の差込受けに接続できる独立品である場合には、この差込み付きコードを備えたこの単独品を別途追加して、組み合わせ使用することでも差し支えない。
その後、前記の台形状黒色の両側方仕切板２，２の各上部逆Ｌ字状孔２a 、２ａに、短冊状黒色の撮影窓付き前方仕切板３の各フック３ａ、３ａを押し込み落とし込んで掛止し、同様にその各下部逆Ｌ字状孔２ｂ、２ｂにおいて、短冊状黒色の前方仕切板４をその各フック４ａ、４ａを掛止し、それぞれの前方仕切板３，４を組立てる。
さらにその後、手提げ鞄１の鞄蓋体１を、前記の起立させた台形状側方仕切板２，２に向けて閉じて側方仕切板２，２の側縁に当接させ、内部を遮光するように配置し、撮影ボックスを組立する。台形状側方仕切板２，２のその内側表面はその彩色は通常黒色が好ましい。以下、各仕切板の彩色を黒色の限定を付して記述するとしても黒色であることが必須のものとして限定されるものではない。
上述のように、この手提げ鞄１は、白色灯照明手段５の設置、バックスクリーンの展設後に、上記の台形状黒色側方仕切板２，２と短冊状黒色撮影窓付き前方仕切板３及び短冊状黒色前方仕切板４を組立てた後、台形状黒色側方仕切板２，２の上方から、鞄蓋体１ａの側方内壁に寄せた位置において鞄蓋体１ａを被せることによって、デジタルカメラ用の撮影用スタジオボックスBが組立てられる（図１参照）ものであるが、撮影用の被写体は、適宜、組立の前に設置される。
なお、撮影用スタジオボックスBを構成する各仕切板、台形状黒色側方仕切板２，２と、撮影窓付き短冊状黒色前方上部仕切板３及び短冊状黒色前方下部仕切板４の内側表面の彩色について、黒色とした方が撮影上好ましいが、乱反射しないダーク色でもよく、必ずしも黒色に限定されることはない。
【００２１】
携帯型簡易組立式撮影ボックスＢとして組立てられた手提げ鞄１は、図１に示すように、蓋体、蓋底体の収納凹部内で両側に起立された台形状黒色側方仕切板２，２と、前記側方仕切板２，２にフック・逆Ｌ字孔の掛止により組立てられた撮影窓付き短冊状黒色前方上部仕切板３及び短冊状黒色前方下部仕切板４により半開き状態に保持される。
携帯型簡易組立式撮影ボックスＢ内には、蓋体１aの内部に添着されたバックスクリーン６において、蓋底体１ｂ内部に敷設されたバックスクリーン６の上に撮影対象の被写体商品が配置される。
撮影に当っては、携帯型簡易組立式撮影ボックスＢに接続の差込み付きコード７を、持ち運ばれた
環境で適宜確保された電源（図示省略）に接続すればよく、内部の白色灯の灯火により撮影商品を照明し、何時でもどこでも撮影準備状態が簡単に確保される。
携帯型簡易組立式撮影ボックスＢ内の撮影商品を撮影する場合には、通常、前面上部配置短冊状黒色前方仕切板３の撮影窓３ｂを通して、デジタルカメラで撮影することができる。
携帯型簡易組立式撮影ボックスＢによる内部被写体商品の撮影は、白色灯による安定した照明と、バックスクリーン、側方仕切板及び前方仕切板の乱反射させない背景色との組合せによって、被写体商品について上下左右のむらのない照明ができるため、常に鮮明な撮影が可能となる。
以上において、その使用に当って、短冊状黒色前方仕切板３、４により遮蔽した場合における、前面から撮影窓を確保する方法について、前方仕切板３の撮影用窓３ｂを利用する方法を例示したが、必ずしもこれに限定されることはなく、短冊状黒色前方仕切板３、４の取付け位置を上下逆にしたり、その他、前面上部配置短冊状黒色前方仕切板３のみを、上部又は下部に配置して用いたり、前面下部配置短冊状黒色前方仕切板４のみを上部又は下部に配置して用いたりすることができる。
例えば、被写体のサイズが大きくて、撮影用窓３ｂからモニター画面に全体を収められないときのように、撮影用窓３ｂのサイズの制約を受ける場合に、これを解消する工夫である。
【００２２】
撮影用スタジオボックスBを分解・収納する場合には、上記組立と逆の手順を踏めばよい。
図１に示す組立状態から、鞄蓋体１ａを持ち上げて撮影用スタジオボックスBの上部を先ず開放し、撮影品を取り出す。次いで、台形状黒色側方仕切板２，２と短冊状黒色前方仕切板３、４とを分解する。分解に際して、鞄蓋体１ａを開放し、台形状黒色側方仕切板２，２と前面上部配置短冊状黒色撮影窓付き前方仕切板３及び前面下部配置短冊状黒色前方仕切板４との各逆Ｌ字状孔とフックによる掛合を外して側方仕切板２，２と前方仕切板３、４とを分解する。
短冊状黒色前方仕切板３、４の取外された台形状黒色側方仕切板２，２は、その基部で蝶番により蝶着された鞄底蓋部において折り畳まれ、底面に両側から重なるようにして横たえる。
この折り畳まれた前方仕切板３、４の上に、先に分解された前方仕切板３，４を載せて収納する。
次に、クリップ５ｄ、５ｄから挟着設置した白色灯照明手段５を取外し、この照明手段懸架を鞄底蓋体に収容し、また、マジックファスナー（登録商標）６aで取り付けられたバックスクリーン６を取外し、同様に鞄底蓋体内に収容する。
以上、手提げ鞄１の鞄底蓋体１ｂの収容凹部内に折り畳まれた台形状黒色側方仕切板２，２と各分解された短冊状黒色前方仕切板３、４を収納し、取外した白色灯照明手段５を収納し、バックスクリーン６を折り畳んで収納した後、最終的に鞄蓋体１ａを閉鎖し、掛け具により掛止し、枢着された鞄蓋体１ａと鞄底蓋体１ｂの鞄を閉じる。
したがって、横分割ヒンジ開放角型携帯用手提げ鞄１は、撮影用スタジオボックスBを構成する各部品を内部に収容しているので、手提げ鞄１としてどこへでも簡単に持ち運ぶことができ、また、持ち運ばれた適宜の場所で簡単に撮影用スタジオボックスBとして組立てることができる。
【図面の簡単な説明】
【００２３】
【図１】本考案の携帯型簡易組立式撮影ボックスとして組立てた状態を模式的に示す図であり、（イ）は撮影ボックス組立状態を斜視的に示す模式図であり、（ロ）はＸ−Ｘに沿った断面を模式的に示す断面図である。
【図２】本考案に係る携帯型簡易組立式撮影ボックスを組立てるための部材、部品、横分割ヒンジ開放角型携帯用手提げ鞄、手提げ鞄の鞄底蓋体の収容凹部内に枢着される台形状黒色側方仕切板２，２、横分割ヒンジ開放角型携帯用手提げ鞄内に収納される組立・取外し可能な複数の前方仕切板３，４、バックスクリーン、白色灯照明器具、を分解して示す図である。
【図３】本考案の携帯型簡易組立式撮影ボックスを、撮影ボックスとして組立てるに際して、蝶着された側方仕切板を立設し、バックスクリーンを取り付けた状態を模式的に示す図である。
【図４】本考案の携帯型簡易組立式撮影ボックス内に、個別の部品が鞄の中に収容された状態を模式的に示す図である。
【符号の説明】
【００２４】
１  手提げ鞄
１a  鞄蓋体
１b  鞄底蓋体
２，２  側方仕切板
２a ；２ａ  上部逆Ｌ字状孔
２ｂ；２ｂ  下部逆Ｌ字状孔
３  前方仕切板
３ａ  フック
３ｂ  撮影用窓
４  前方仕切板
４ａ  フック
５  白色灯照明器具
５ｃ  差込み受
５ｄ，５ｄ  クリップ
６   バックスクリーン
６ａ  マジックファスナー（登録商標）
７  差込み
７ａ  コード
７ｂ  切替スイッチ
B携帯型簡易組立式撮影ボックス
【図１】
0003142080.tif 000003
【図２】
0003142080.tif 000004
【図３】
0003142080.tif 000005
【図４】
0003142080.tif 000006